(57)【要約】【課題】  竿を竿受けフレームに確実にかつ簡単に止めることができるようにする竿止めクリップを提供する。竿止めクリップにはピンチとしての機能も具備せしめる。【解決手段】  竿を受け止める竿受けフレームの交差方向に竿を固定する器具として、ピンチと同様に開閉可能に設けられた一対の挟持部材１１、１２を有し、一方の開閉端部を挟持方向に付勢するばね部材２１、２２により一体に組み立て、本体を形成し、竿Ｒ１又は竿受けフレームＲ２とばね付勢下に係合する挟持凹部１３、１４を本体の一方の開閉端部に設け、竿受けフレームＲ２又は竿Ｒ１を受け止め可能な彎曲状の掛止部２９、３０を本体の他方の開閉端部に設ける。挟持凹部１３、１４は、本体の一方の開閉端部において竿Ｒ１又は竿受けフレームＲ２の長手方向に傾斜ないし曲げられた形状を有し、掛止部２９、３０は、本体の他方の開閉端部において、挟持凹部１３、１４の向いている方向へＪ字状に曲げられたフック構造を有している。【選択図】          図２
2005296192.tif 000002
【特許請求の範囲】
【請求項１】
竿を受け止める竿受けフレームの交差方向に竿を固定する器具であって、ピンチと同様に開閉可能に設けられた一対の挟持部材を有し、かつ一方の開閉端部を挟持方向に付勢するばね部材により一体に組み立てて本体を形成し、竿又は竿受けフレームとばね付勢下に係合する挟持凹部を本体の一方の開閉端部に設け、竿受けフレーム又は竿を掛け止め可能な彎曲状の掛止部を本体の他方の開閉端部に設けたことを特徴とするピンチ兼用竿止めクリップ。
【請求項２】
挟持凹部は、本体の一方の開閉端部において、竿又は竿受けフレームの長手方向に傾斜ないし曲げられた形状を有し、掛止部は、本体の他方の開閉端部において、挟持凹部の向けられている方向にＪ字状に曲げられたフック構造を有している請求項１記載のピンチ兼用竿止めクリップ。
【発明の詳細な説明】
【技術分野】
【０００１】
本発明は、竿を受け止める竿受けフレームの交差方向に竿を固定するピンチ兼用竿止めクリップに関するものである。
【背景技術】
【０００２】
物干し竿を竿受けフレームにセットし、洗濯物を干す場合などにおいて、物干し竿が竿受けフレームから落下することを防止するために固定したい場合がある。このようなときに使用する目的で提案された器具の一つに、ピンチを２個横に並べて、操作側の端部を一体化し、ピンチ間のスペースに竿受けフレームが来るように竿に取り付けるダブルクリップ型というべきものがある（特開平６−２８５２９４号）。しかしこのタイプの器具ではピンチ２個分の大きさとなり全体として大き過ぎ、ピンチを２個操作するため扱いにくいという問題がある。また、物干し竿受け両側に２個のクリップを取り付けて、物干し竿の長手方向移動を止めるものもあるが、この場合、物干し竿が上に抜け出るのを防ぐことはできない。
【０００３】
なお、竿受け部に保持させて用いる物干し竿支持装置という発明もある（特開平１０−１９２５９２号）。このような竿止め具は、竿受け部にねじ止めするなど何らかの方法で固定しなければならず、物干し器側の構造の一部となるので、前述のピンチやクリップなどとは異なる。
【０００４】
【特許文献１】特開平６−２８５２９４号
【特許文献２】特開平１０−１９２５９２号
【発明の開示】
【発明が解決しようとする課題】
【０００５】
本発明は前記の点に着目してなされたもので、その課題は、竿を竿受けフレームに確実かつ簡単に止めることができるようにすることである。また本発明の他の課題は、竿止め用のクリップとしての本来の機能とともに、ピンチとしての機能をも発揮するピンチ兼用竿止めクリップを提供することである。
【課題を解決するための手段】
【０００６】
前記の課題を解決するため、本発明は、竿を受け止める竿受けフレームの交差方向に竿を固定する器具として、ピンチと同様に開閉可能に設けられた一対の挟持部材を有し、かつ一方の開閉端部を挟持方向に付勢するばね部材により一体に組み立てて本体を形成し、竿又は竿受けフレームとばね付勢下に係合する挟持凹部を本体の一方の開閉端部に設け、竿受けフレーム又は竿を掛け止め可能な彎曲状の掛止部を本体の他方の開閉端部に設けるという手段を講じたものである。
【０００７】
本発明を構成する一対の挟持部材は、開閉可能に設けられており、かつばね部材により一体に組み立てて本体を形成するもので、一般的にはピンチと同様の構造を有している。ばね部材は一対の挟持部材の一方の開閉端部を挟持方向に付勢するもので、一方の開閉端部には挟持凹部を設ける。挟持凹部は竿又は竿受けフレームと係合するために凹部構造を備えているもので、挟持部材は竿又は竿受けフレームに吊り下げられる状態で取り付けられる。
【０００８】
これに対して他方の開閉端部には、竿受けフレーム又は竿を掛け止めるために彎曲状の掛止部が設けられている。故にこの掛止部はフックと同様の構造を有していて良い。一対の挟持部材で挟む竿又は竿受けフレームの方向と、挟持部材の他方の開閉端部に彎曲状に設けた掛止部に掛け止める竿受けフレーム又は竿の方向は十字交差状となる（図５Ａ参照）。
【０００９】
掛止部は、Ｊ字状に曲げられ、フックと同様の形態に設けられるので、本体の他方の開閉端部において側方へ突出し、荷重が加わったときにアンバランスとなり勝ちである。そこで本体の一方の開閉端部においても、竿又は竿受けフレームの長手方向かつＪ字状の突出方向に合わせて傾斜ないし曲げた形状とすることが望ましい。また挟持凹部には、竿又は竿受け部材に対する滑り止めを必要に応じて設けることができる。本発明の竿止め用クリップはピンチとしての機能も有しており、その場合上記の滑り止めはピンチの機能にも有用である。
【発明の効果】
【００１０】
本発明は以上の如く構成されかつ作用するものであるから、挟持凹部により竿又は竿受けフレームに挟持する操作と、掛止部に竿受けフレーム又は竿を掛け止め得るようにする操作により、竿と竿受けフレームとを確実かつ簡単に結合することができるという効果を奏するとともに、ピンチとしても使用することができ、実用性が高い。
【発明を実施するための最良の形態】
【００１１】
以下図示の実施形態を参照して本発明をより詳細に説明する。図１、図２に本発明のピンチ兼用竿止めクリップ１０の全体図、図３、図４に左右各部品図、図５に使用状態図が示されている。
【００１２】
例示したピンチ兼用竿止めクリップ１０は、左右一対の挟持部材１１、１２を、開閉正面から見て、竿又は竿受けフレームを挟持可能な挟持凹部１３、１４を構成する曲線と、掛止部側に設けられている曲線により、数字の３又は逆３の字の形に形成し、中間の突部を支点としてピンチと同様に開閉可能に設けた本体を有している。例示の挟持凹部１３、１４を形成する挟持部材１１、１２は左右対称な形状を有し、内側に滑り止め１５、１６を有している。
【００１３】
本体を構成している一対の挟持部材１１、１２はほぼコ字型の横断面形状を有し、中間突部において、一方１７が他方１８の内側に（又は外側）に位置して、互いに、相手側軸受部１９、２１に受け支えられる関係となる。ばね部材として、ほぼ円形のリング状ばね２１、２２が挟持凹部１３、１４を挟持方向へ付勢するように設けられている。リング状ばね２１、２２は、各挟持部材１１、１２の操作部側に設けたスリット２３、２４から差し込んで、挟持部側のばね受け２５、２６に先端を係合するようにして取り付けることができる。リング状ばね２１、２２の取り付けにより挟持部材１１、１２は一体に組み立てられた状態になる。挟持部材１１、１２は竿Ｒ１又は竿受けフレームＲ２の長手方向を向いた曲がり部２７、２８になっている。
【００１４】
本体の他方の開閉端部には、竿受けフレームＲ２又は竿Ｒ１を掛け止め可能な彎曲状の掛止部２９、３０が設けられている。この掛止部２９、３０は前記曲がり部２７の方向と同方向を向いており、全体をほぼＪ字形として吊り下げ時に挟持凹部１３、１４と掛止部２９、３０とが余り離れないように設けられている。３１、３２は滑り止めであり、クリップとして開閉操作するときに、指を当てる箇所に設けられている。
【００１５】
このように構成されている本発明のピンチ兼用竿止めクリップ１０は図１ないし図２に示した姿勢で、挟持凹部１３、１４により竿Ｒ１を挟む用途などに使用することが可能であり、またそれとは上下逆の姿勢にして掛止部２９、３０で竿Ｒ１に吊り掛ける用途などに使用することが可能である。また滑り止め３１、３２の部分で本クリップ１０を操作して挟持凹部１３、１４を開閉することによってピンチとして挟持凹部１３、１４にて何かを挟む用途に使用することができる。
【００１６】
図５以下を参照して本発明のクリップ１０の用例を説明する。図５Ａは、竿受けフレームＲ２に載置した竿Ｒ１の固定を行っている状態であり、本発明のクリップ１０の主要な用途に当たる。このとき、掛止部２９、３０を竿受けフレームＲ２に下から掛けるようにしつつクリップ１０を開き、挟持凹部２９、３０にて竿Ｒ１に係合するように取り付け
る。図５Ｂは、洗濯ハサミ篭を掛止部２９、３０で吊る用途に使用している状態である。また図５Ｃは、挟持凹部１３、１４にてタオルを挟み、本発明のクリップ１０は掛止部
２９、３０にて竿Ｒ１に吊り下げた例であり、さらにまた図５Ｄは、竿Ｒ１に掛けたタオルを、本発明のクリップ１０の挟持凹部１３、１４によって竿Ｒ１に挟み付けている例を示す。最後の２例がピンチとしての使用例であると言えよう。
【図面の簡単な説明】
【００１７】
【図１】本発明に係るピンチ兼用竿止めクリップの実施例を示す側面図。
【図２】Ａ：図１のものの正面図。Ｂ：同じく開いた状態の正面図。
【図３】Ａ：一方の挟持部材の正面図。Ｂ：図３Ａ中央部の縦断面図。Ｃ：図３ＡのＩＩＩ‐ＩＩＩ線断面図。
【図４】Ａ：他方の挟持部材の正面図。Ｂ：図４ＡのＩＶ-１Ｖ線断面図。Ｃ：図４Ａ中央部の縦断面図。
【図５】Ａ：竿と竿受けフレームを固定している状態の本クリップを示す斜視図。Ｂ：篭を吊り下げている状態の本クリップを示す斜視図。Ｃ：タオルを挟持した本クリップを竿に吊り下げた状態を示す斜視図。Ｄ：竿に掛けたタオルを竿に挟み付けた本クリップの状態を示す斜視図。
【符号の説明】
【００１８】
Ｒ１  竿
Ｒ２  竿受けフレーム
１０  ピンチ兼用竿止めクリップ
１１、１２  挟持部材  
１３、１４  挟持凹部
２１、２２  ばね
２７、２８  曲がり部
２９、３０  掛止部
【図１】
2005296192.tif 000003
【図２】
2005296192.tif 000004
【図３】
2005296192.tif 000005
【図４】
2005296192.tif 000006
【図５】
2005296192.tif 000007